(57)【要約】      （修正有）【課題】携帯に便利であって、しかも、携帯先での演奏や、練習に十分使用できる本格的な電子ピアノ等の電子鍵盤楽器及び電子鍵盤楽器システムを提供する。【解決手段】電子鍵盤楽器１は、複数の白鍵と複数の黒鍵を持つ板状の鍵盤部分１ａ，１ｂ，１ｃ，１ｄ，１ｅ，１ｆ，１ｇ，１ｈを複数折畳み自在に連結して鍵盤を構成し、前記白鍵と黒鍵にそれぞれセンサーを設け、これらのセンサーは前記白鍵と黒鍵が指で押されたときの押圧力を検知する機能を備え、前記センサーで検知された押圧力に応じた信号を基にどの白鍵又は黒鍵が押されたかを知る位置情報信号と音量情報信号を作成し、これらの情報をディジタル信号として送信機から送信する。【選択図】図１
2015049505.tif 000002
【特許請求の範囲】
【請求項１】
複数の白鍵と複数の黒鍵を持つ板状の鍵盤部分を複数折畳み自在に連結して鍵盤を構成し、前記白鍵と黒鍵にそれぞれセンサーを設け、これらのセンサーは前記白鍵と黒鍵が指で押されたときの押圧力を検知する機能を備え、前記センサーで検知された押圧力に応じた信号を基にどの白鍵又は黒鍵が押されたかを知る位置情報信号と音量情報信号を作成し、これらの情報をディジタル信号として送信機から送信することを特徴とする電子鍵盤楽器。
【請求項２】
前記複数の白鍵と複数の黒鍵の各前記センサーにより得られる音量情報を、複数の予め設定された異なる信号に割り振り、この異なる信号を前記音量情報信号としたことを特徴とする請求項１記載の電子鍵盤楽器。
【請求項３】
前記複数の白鍵と複数の黒鍵のうち押された白鍵又は黒鍵の前記センサーにより得られた信号から、前記位置情報信号を得ることを特徴とする請求項１記載の電子鍵盤楽器。
【請求項４】
前記センサーは鍵盤基板と前記白鍵と黒鍵との間に存在し、圧力に応じて抵抗値が変化する導電性樹脂とこの導電性樹脂が当接する▲櫛▼歯状電極を備えていることを特徴とする請求項１記載の電子鍵盤楽器。
【請求項５】
フレキシブル基板を設け、このフレキシブル基板の一方の面に複数の前記鍵盤部分が白鍵及び黒鍵を上にして取付けられ、前記フレキシブル基板の他方の面に前記鍵盤部分と対向して複数のベース基板が取付けられ、前記複数の鍵盤部分同士の間には一定の間隙が設けられ、前記複数のベース基板同士の間にも一定の間隙が設けられ、前記複数のベース基板はベースとなる柔軟性のある薄いシート上に取付けられていることを特徴とする請求項１記載の電子鍵盤楽器。
【請求項６】
前記フレキシブル基板の前記鍵盤部分側には、電気的配線が施され、前記フレキシブル基板の前記鍵盤部分側の間隙部分における前記フレキシブル基板表面をカバーシートで覆ったことを特徴とする請求項５記載の電子鍵盤楽器。
【請求項７】
鍵盤の端部に前記鍵盤部分の大きさと略同じ大きさのコントロール基板が前記鍵盤部分に対し折畳み自在に設けられていることを特徴とする請求項１記載の電子鍵盤楽器。
【請求項８】
複数の白鍵と複数の黒鍵を持つ板状の鍵盤部分を複数折畳み自在に連結して鍵盤を構成し、前記白鍵と黒鍵にそれぞれセンサーを設け、これらのセンサーは前記白鍵と黒鍵が指で押されたときの押圧力を検知する機能を備え、前記センサーで検知された押圧力に応じた信号を基にどの白鍵又は黒鍵が押されたかを知る位置情報信号と音量情報信号を作成し、これらの情報をディジタル信号として送信機から送信し、スマートフォンやタブレットＰＣでこれを受信し音として発生することを特徴とする電子鍵盤楽器システム。
【請求項９】
前記スマートフォンやタブレットＰＣの画面にに演奏する曲の楽譜を表示することを特徴とする請求項８記載の電子鍵盤楽器システム。
【発明の詳細な説明】
【技術分野】
【０００１】  本発明は、折畳み式の電子ピアノ等の鍵盤楽器及び電子鍵盤楽器システムに関するものである。
【背景技術】
【０００２】  ピアノは大型の楽器であるため、携帯してどこでも演奏したり、練習したりすることができない。そこで携帯型のピアノが要望されている。【０００３】  携帯型の電子ピアノとして、公開実用新案昭６２−４３３９７号公報や特表２００９−５３５６５９号公表特許公報に折畳み式の電子ピアノが開示されている。
【先行技術文献】
【０００４】
【特許文献】
【特許文献１】  公開実用新案昭６２−４３３９７号公報
【特許文献２】  特表２００９−５３５６５９号公表特許公報
【発明の概要】
【発明が解決しようとする課題】
【０００５】  上記特許文献１，２に示されている折り畳み式の電子ピアノは、鍵盤部分を折畳み式にしたものであるが、この鍵盤部分を展開すると、折り曲がり癖がついていたりして鍵盤部分は真直ぐな平面にならず演奏の妨げになる。特許文献１，２に記載のものは、この課題を解決したものであって、電子ピアノ本来の音の点についての詳細が無い。【０００６】  そこで、本発明は、携帯に便利であって、しかも、携帯先での演奏や、練習に十分使用できる本格的な電子ピアノ等の電子鍵盤楽器及び電子鍵盤楽器システムを提供することを目的とする。
【課題を解決するための手段】
【０００７】  本発明の電子鍵盤楽器は、複数の白鍵と複数の黒鍵を持つ板状の鍵盤部分を複数折畳み自在に連結して鍵盤を構成し、前記白鍵と黒鍵にそれぞれセンサーを設け、これらのセンサーは前記白鍵と黒鍵が指で押されたときの押圧力を検知する機能を備え、前記センサーで検知された押圧力に応じた信号を基にどの白鍵又は黒鍵が押されたかを知る位置情報信号と音量情報信号を作成し、これらの情報をディジタル信号として送信機から送信することを特徴とする。
また、前記複数の白鍵と複数の黒鍵の各前記センサーにより得られる音量情報を、複数の予め設定された異なる信号に割り振り、この異なる信号を前記音量情報信号としたことを特徴とする。【０００８】  また、前記複数の白鍵と複数の黒鍵のうち押された白鍵又は黒鍵の前記センサーにより得られた信号から、前記位置情報信号を得ることを特徴とする。
また、前記センサーは鍵盤基板と前記白鍵と黒鍵との間に存在し、圧力に応じて抵抗値が変化する導電性樹脂とこの導電性樹脂が当接する▲櫛▼歯状電極を備えていることを特徴とする。
また、フレキシブル基板を設け、このフレキシブル基板の一方の面に複数の前記鍵盤部分が白鍵及び黒鍵を上にして取付けられ、前記フレキシブル基板の他方の面に前記鍵盤部分と対向して複数のベース基板が取付けられ、前記複数の鍵盤部分同士の間には一定の間隙が設けられ、前記複数のベース基板同士の間にも一定の間隙が設けられ、前記複数のベース基板はベースとなる柔軟性のある薄いシート上に取付けられていることを特徴とする。【０００９】  また、前記フレキシブル基板の前記鍵盤部分側には、電気的配線が施され、前記フレキシブル基板の前記鍵盤部分側の間隙部分における前記フレキシブル基板表面をカバーシートで覆ったことを特徴とする。
また、鍵盤の端部に前記鍵盤部分の大きさと略同じ大きさのコントロール基板が前記鍵盤部分に対し折畳み自在に設けられていることを特徴とする。【００１０】  また、本発明の電子鍵盤楽器システムは、複数の白鍵と複数の黒鍵を持つ板状の鍵盤部分を複数折畳み自在に連結して鍵盤を構成し、前記白鍵と黒鍵にそれぞれセンサーを設け、これらのセンサーは前記白鍵と黒鍵が指で押されたときの押圧力を検知する機能を備え、前記センサーで検知された押圧力に応じた信号を基にどの白鍵又は黒鍵が押されたかを知る位置情報信号と音量情報信号を作成し、これらの情報をディジタル信号として送信機から送信し、スマートフォンやタブレットＰＣでこれを受信し音として発生することを特徴とする。
さらに、前記スマートフォンやタブレットＰＣの画面にに演奏する曲の楽譜を表示することを特徴とする。
【発明の効果】
【００１１】  以上のように、本発明の電子鍵盤楽器及び電子鍵盤楽器システムは折畳んで携帯することができ、出先で演奏したり、余った時間にピアノの練習をすることができる。鍵盤楽器を開くと本物のピアノと同程度の大きさの鍵盤となり、しかも鍵盤に加えられる指のタッチにより音量を複数段階に表現できるので、玩具というより、本格的なピアノという認識を持つことができる。さらに、タブレットＰＣから演奏音を聴くことができ、また、画面に演奏しようとする楽譜を表示し、演奏者はこれを見ながら演奏することもできる。
【図面の簡単な説明】
【００１２】
【図１】  本発明の実施の形態に係る電子鍵盤楽器及び電子鍵盤楽器システムの原理図である。
【図２】  同電子鍵盤楽器の平面図である。
【図３】  同側面図である。
【図４】  同一部分の断側面図である。
【図５】  同電子鍵盤楽器の一部分の平面図である。
【図６】  同電子鍵盤楽器の折畳み状態を示す側面図である。
【図７】  同電子鍵盤楽器の鍵盤部分の断側面図である。
【図８】  同電子鍵盤楽器の鍵盤部分の一部の断側面図である。
【図９】  同図８に示す電極部分の平面図である。
【図１０】  同図８に示す電極部分の電気的等価回路である。
【図１１】  同電子鍵盤楽器の回路図である。
【図１２】  同電子鍵盤楽器説明のためのフローチャートである。
【発明を実施するための形態】
【実施例】
【００１３】  以下、本発明の実施の形態について図面とともに説明する。
図１に示すように本発明の実施形態である電子鍵盤楽器１は複数個の鍵盤部分１ａ，１ｂ，１ｃ，１ｄ，１ｅ，１ｆ，１ｇ，１ｈが連結されており、連結部分で複数回折れ曲がるようになっていて、折畳み状態と平面状に開いた状態になるように構成されている。開いた状態で長さが約１１０ｃｍ、幅約１１ｃｍ、厚さ約４ｍｍ、折畳み状態にすると長さ約１２ｃｍ、幅約１１ｃｍ、厚さが約４ｃｍとなる。
折畳み状態では携帯に便利であり、開くと約１メートルの電子ピアノとして用いることができる。
鍵盤部分１ａ，１ｂ，１ｃ，１ｄ，１ｅ，１ｆ，１ｇ，１ｈは８個あり、端部にコントロール基板２が設けられている。このコントロール基板２も鍵盤部分１ａ，１ｂ，１ｃ，１ｄ，１ｅ，１ｆ，１ｇ，１ｈと大きさは略同じに構成されている。厚みは鍵盤部分１より少し大きく設定されている。【００１４】  コントロール基板２から無線で音信号と音の位置信号がディジタル信号でスマートフォンやタブレットＰＣに送信される。図１のタブレットＰＣ３はｉＰａｄ（米国アップル社の登録商標）の例を示している。ｉＰａｄ３から演奏の音楽を聴くことができ、画面に楽譜を出して演奏することもできる。【００１５】  次に具体的な構成について説明する。
図２は電子鍵盤楽器１の平面図であり、厚さ１〜２ｍｍ程度の鍵盤部分１ａ，１ｂ，１ｃ・・・１ｈとコントロール基板２が示されている。図３に示すように、鍵盤部分１ａ，１ｂ，１ｃ・・・１ｇ，１ｈとコントロール基板２に対向して９個の厚さ１〜２ｍｍ程度のベース基板４ａ，４ｂ，４ｃ，・・・４ｇ，４ｈ，４ｉが設けられている。鍵盤部分１ａ，１ｂ，１ｃ・・・１ｇ，１ｈ及びコントロール基板２は厚さ０．１５ｍｍ程度のフレキシブル基板５の上面に固着され、ベース基板４ａ，４ｂ，４ｃ，・・・４ｇ，４ｈ，４ｉはフレキシブル基板５の下面に固着されている。【００１６】  フレキシブル基板５は鍵盤部分１ａ，１ｂ，１ｃ・・・１ｇ，１ｈとコントロール基板２側に電気的配線が施されていて、鍵盤部分１ａ，１ｂ，１ｃ・・・１ｇ，１ｈとコントロール基板２等との電気接続が行われる。ベース基板４ａ，４ｂ，４ｃ，・・・４ｇ，４ｈ，４ｉはベースとなる柔軟性のあるシート７の上に接着剤等で固着されている。このシート７は０．１５ｍｍ程度の柔軟性のある布等が用いられる。【００１７】  各鍵盤部分１ａ，１ｂ，１ｃ・・・１ｇ，１ｈとコントロール基板２は各ベース基板４ａ，４ｂ，４ｃ，・・・４ｇ，４ｈ，４ｉの直下に設けられ、横方向の寸法、幅方向の寸法は同一寸法に設定されている。そして、隣接する鍵盤部分・ベース基板の間には間隙６が設けられている。鍵盤部分１ｈ・ベース基板４ｈとコントロール基板２の間にも間隙６が設けられている。鍵盤部分１ａ・ベース基板４ａと鍵盤部分１ｂ・ベース基板４ｂの間に存在するフレキシブル基板５の部分の上面にこの部分を覆うカバーシート７Ａが設けられている。このカバーシート７Ａがないとフレキシブル基板５の電気回路部分が露出状態になり好ましくない。【００１８】  カバーシート７Ａは他の間隙６にも設けられており、シート７と同じものを用いる。図４に示すようにカバーシート７Ａの両端は鍵盤部分１ａ，１ｂの下に入り込んでいる。
図６に示すように、フレキシブル基板５とシート７とカバーシート７Ａを湾曲させることにより、電子鍵盤楽器１を折畳むことができる。この状態になると携帯が容易となる。シート７は間隙６の部分で中に入り、フレキシブル基板５と接触し接着されている。【００１９】  次に、鍵盤部分の構成について説明する。鍵盤部分１ｂを図５に示す。他の鍵盤部分１ｃ・・・１ｇ、１ｈは鍵盤部分１ｂと同様の構成になっている。
図５は鍵盤部分１ｂの平面図であり、図７は同断側面図である。図５に示すように７つの白鍵８と５つの黒鍵９が設けられ、これらは１０の辺りで図６に示すように鍵盤基板１１に方持ち梁状に取り付けられている。
図５に示すように、白鍵８、黒鍵９それぞれに一個ずつセンサー１２が設けられている。センサー１２は図８に示すように、白鍵８の下面に取り付けられた加えられる圧力によって抵抗値が変化する導電性樹脂１３と鍵盤基板１１の上面に設けられた▲櫛▼歯状電極１４により構成されている。【００２０】  ▲櫛▼歯状電極１４は図９に示すような一般的なものであり、縦横それぞれ２ｍｍのものを使用する。この▲櫛▼歯状電極１４に導電性樹脂１３が当接し、導電性樹脂１３に加えられる圧力により、端子ＡＢ間の抵抗値が変化する。図１０は電気的等価回路である。センサー１２は静電容量式のものでも良く、間隙が変化することのよりその容量が変化するものである。この場合は上記の抵抗値に対し、容量値となる。【００２１】  次に、図１１、図１２を用いて電子鍵盤楽器の電気的な構成と動作について説明する。
鍵盤部分１ａには白鍵が２個、黒鍵が１個設けられ、鍵盤部分１ｂ，１ｃ・・・１ｇ，１ｈにはそれぞれ白鍵が７個、黒鍵が５個設けられ、コントロール基板２に白鍵が１個設けられ、合計８８個の鍵盤が存在する。８８個の鍵盤のどれが押されたかを検出する必要がある。つまり位置情報が必要となる。【００２２】  そこで、図１１に示すように８８個の比較器Ｃ１，Ｃ２・・・Ｃ８８を設け、比較器Ｃ１，Ｃ２・・・Ｃ８８の一方の端子Ｋ１，Ｋ２・・・Ｋ８８にそれぞれ基準電圧を与える。比較器Ｃ１，Ｃ２・・・Ｃ８８の他方の端子には、各鍵盤のセンサーの▲櫛▼歯状電極が接続されている。図１１では可変抵抗Ｓ１，Ｓ１・・・Ｓ８８で示されている。【００２３】  比較器Ｃ１，Ｃ２・・・Ｃ８８の他方の端子に所定の入力が加えられると、比較器Ｃ１，Ｃ２・・・Ｃ８８で端子Ｋ１，Ｋ２・・・Ｋ８８の基準電圧と比較される。入力電圧が基準電圧を越えると比較器Ｃ１，Ｃ２・・・Ｃ８８の出力電圧が０から一定の電圧が発生し、これが鍵盤の位置情報信号となる。つまりどの鍵盤が押されたかがこの位置情報信号によって知ることができる。他方の端子に加えられる所定の入力とは、鍵盤が押されたことにより、可変抵抗Ｓ１，Ｓ１・・・Ｓ８８の値が変化し、そこに生じる電圧である。鍵盤が押されないときでも可変抵抗器Ｓ１，Ｓ１・・・Ｓ８８に一定の電圧が生じているが、この電圧では比較器Ｃ１，Ｃ２・・・Ｃ８８から出力が出ないように構成されている。比較器Ｃ１，Ｃ２・・・Ｃ８８の出力はコンピュータ１５の中にある入出力回路１６に加えられ、入出力回路１６内に設けられてメモリから押された鍵盤の位置情報信号に対応する位置情報ディジタル信号を取出す。【００２４】  また、可変抵抗Ｓ１，Ｓ１・・・Ｓ８８に現れる電圧はＡＤ変換回路１７でディジタル信号に変換され、音量制御回路１８に加えられる。音量制御回路１８では押された鍵盤の強さに応じたディジタル信号が出力され。そして、位置情報信号と合成回路１９で合成されて送信機２０からｉｐａｄ３に送信される。送信機２０はＢｌｕｅｔｏｏｔｈ（Ｂｌｕｅｔｏｏｔｈ  ＳＩＧ社の登録商標）を用いる。
ｉｐａｄ３では送信されてきた位置情報信号と音量情報信号を検出して押された鍵盤の音を大、中、小何れかの大きさでスピーカから発生する。【００２５】  詳細を図１２を用いて説明する。
例えば鍵盤Ａ（図１１の可変抵抗Ｓ２に対応する鍵盤）が押されたとする（図１２の１２１）。すると、センサー１２の導電性樹脂１３が押され、押された力に応じて抵抗値が低下する。▲櫛▼歯状電極１４でこれが検出され、図１１の可変抵抗Ｓ２に変化した抵抗値に応じた電圧が発生する（図１２の１２２）。この電圧はコンパレータＣ２の基準電圧Ｋ１と比較され（図１２の１２３）、可変抵抗Ｓ２の電圧が端子Ｋ１の基準電圧を下回ると、コンパレータＣ２に位置情信号が生じる（図１２の１２４）。この位置情報信号は入出力回路１６に加えられ（図１２の１２５）、入出力回路１６内に設けられたメモリーに存在する鍵盤Ａに対応するディジタル位置情報信号が取出される（図１２の１２６）。【００２６】  上記抵抗値に応じた電圧は音量情報信号としてＡＤ変換回路１７でディジタル信号に変換され（図１２の１２７）、その信号が区分１（電圧小）、区分２（電圧中）、区分３（電圧大）のどこに入るかが検出され（図１２の１２８）、区分１からの信号で予め設定された音量大の信号が、区分２からの予め設定された音量中の信号が、区分３から予め設定された音量小の信号が発生する（図１２の１２９）。【００２７】  ディジタル位置情報信号とディジタル音量信号が合成回路１９で合成され（図１２の１３０）、送信用のディジタル合成信号が合成回路１９内で作られ（図１２の１３１）、送信機２０より送信される（図１２の１３２）。送信信号はｉｐａｄ３で受信され、送信されてきた位置情報信号と音量情報信号が検出されて、押された鍵盤の音を大、中、小何れかの大きさでスピーカから発生する。
ｉｐａｄ３では画面に演奏しようとする楽譜を表示し、演奏者はこれを見ながら演奏することができる。そして、この鍵盤楽器は折畳んで携帯することができ、出先で余った時間にピアノの練習をすることができる。鍵盤楽器を開くと本物のピアノと同程度の大きさの鍵盤となり、しかも鍵盤に加えられる指のタッチにより音量を複数段階に表現できるので、玩具というより、本格的なピアノという認識を持つことができる。実施例ではピアノを例にとり説明したが、オルガンなどの鍵盤楽器にも利用可能である。
【産業上の利用可能性】
【００２８】  本発明は、携帯用のピアノ等の鍵盤楽器に利用できるものである。
【符号の説明】
【００２９】１：電子鍵盤楽器
１ａ，１ｂ，１ｃ，１ｄ，１ｅ，１ｆ，１ｇ，１ｈ：鍵盤部分
２：コントロール基板
３：タブレットＰＣ
４ａ，４ｂ，４ｃ，４ｄ，４ｅ，４ｆ，４ｇ，４ｈ，４ｉ：ベース基板
５：フレキシブル基板
６：間隙
７：ベースとなるシート
７Ａ：カバーシート
８：白鍵
９：黒鍵
１１：鍵盤基板
１２：センサー
１３：導電性樹脂
１４：▲櫛▼歯状電極
１５：コンピュータ
１６：入出力回路
１７：ＡＤ変換回路
１８：音量制御回路
１９：合成回路
２０：送信機
Ｃ１，Ｃ２・・・Ｃ８８：比較器
Ｋ１，Ｋ２・・・Ｋ８８：端子
Ｓ１，Ｓ２・・・Ｓ８８：可変抵抗
【図１】
2015049505.tif 000003
【図２】
2015049505.tif 000004
【図３】
2015049505.tif 000005
【図４】
2015049505.tif 000006
【図５】
2015049505.tif 000007
【図６】
2015049505.tif 000008
【図７】
2015049505.tif 000009
【図８】
2015049505.tif 000010
【図９】
2015049505.tif 000011
【図１０】
2015049505.tif 000012
【図１１】
2015049505.tif 000013
【図１２】
2015049505.tif 000014